(57)【要約】【課題】伸縮性フィルムを使用した外装体に吸収部材を固着したパンツ型吸収性物品であっても、外装体からの吸収部材端部の剥がれや捲れを防止することができ、かつ、吸収部材の末端が着用者の肌に当たることによる不快感を低減することができるパンツ型吸収性物品を提供する。【解決手段】パンツ型吸収性物品は、ウエスト開口部が定義され、伸縮性フィルムと第１の不織シートとが積層された伸縮シートを少なくとも一部に含む外装体と、長手方向端部の少なくとも一部に、上記外装体に固着された固着部を有する吸収部材と、上記外装体に対向して配置された補助シートと、を備えるパンツ型吸収性物品であって、上記固着部の少なくとも一部は、上記外装体と上記補助シートとの間に配置されることを特徴とする。【選択図】図１
2016182168.tif 000002
【特許請求の範囲】
【請求項１】
ウエスト開口部が定義され、伸縮性フィルムと第１の不織シートとが積層された伸縮シートを少なくとも一部に含む外装体と、
長手方向端部の少なくとも一部に、前記外装体に固着された固着部を有する吸収部材であって、液透過性のトップシートと、前記トップシートに対向配置された液不透過性のバックシートと、前記トップシートとバックシートとの間に配置された吸収体と、を含む吸収部材と、
前記外装体に対向して配置された補助シートと、を備えるパンツ型吸収性物品であって、
前記固着部の少なくとも一部は、前記外装体と前記補助シートとの間に配置されることを特徴とするパンツ型吸収性物品。
【請求項２】
請求項１記載のパンツ型吸収性物品であって、
前記吸収部材は、非肌当接面側の表面に、前記固着部を含む第１の領域と、前記外装体から露出した第２の領域と、を備えることを特徴とするパンツ型吸収性物品。
【請求項３】
請求項１または２記載のパンツ型吸収性物品であって、
前記補助シートは、ウエスト開口部に沿って設けられていることを特徴とするパンツ型吸収性物品。
【請求項４】
請求項１から３のいずれかに記載のパンツ型吸収性物品であって、
前記補助シートは、肌当接面側の第１の層と、非肌当接面側の第２の層と、を備え、
前記第１の層の肌当接面側の表面は、前記第２の層の非肌当接面側の表面よりも凹凸が大きいことを特徴とするパンツ型吸収性物品。
【請求項５】
請求項４記載のパンツ型吸収性物品であって、
前記第１の層は、少なくとも前記肌当接面側の表面にエンボス加工が施されていることを特徴とするパンツ型吸収性物品。
【発明の詳細な説明】
【技術分野】
【０００１】
本発明は、パンツ型吸収性物品に関する。
【背景技術】
【０００２】
パンツ型吸収性物品は、着脱がしやすく、着用者の身体へのフィット性が高くなるように、使用者の腹回りの部位や脚周りの部位等に、ギャザーが付設されることが多い。これらのギャザーは、例えば、特許文献１に示されるように、パンツ型吸収性物品の腹側領域および背側領域の広範囲に亘って、弾性部材の糸ゴムを外装体に接着することにより、形成することができる。これにより、パンツ型吸収性物品は、伸縮特性が向上し、着用者の身体へのフィット性を高め、さらには、尿や血液等の体液がパンツ型吸収性物品の外部に漏れ出ることを防止している。
【０００３】
しかしながら、これらのギャザーの存在は、紙おむつ等のパンツ型吸収性物品らしい外観を特徴付けるものであった。すなわち、ギャザーを施している部分、特に、腹回りの部位やおしり回りの部位に透けて見える糸ゴムと、その周辺に発生する多数の大きいシワは、通常の下着の外観とパンツ型吸収性物品の外観とを大きく異ならせる原因となっていた。こうしたパンツ型吸収性物品の外観は、その使用を第三者に知られたくない使用者にとって望ましいものではなかった。
【０００４】
従って、このような外観上の問題を改善するために、伸縮シートを外装体に使用した吸収性物品が提案されている。例えば、特許文献１には、ポリウレタン、ポリエーテルアミド、ポリエステルエラストマー及びこれらの組み合わせからなるグループから選択されたポリマーを含む通気性弾性フィルムと、フィルムに結合された、互いに直交する２方向に引伸ばし可能なスパンボンド不織シートの不織表面材料と、を含む２軸弾性引伸ばし性の通気性積層体を使用して吸収性物品を形成する技術が開示されている。
【先行技術文献】
【特許文献】
【０００５】
【特許文献１】特開２００８−２７９７７４号公報
【発明の概要】
【発明が解決しようとする課題】
【０００６】
しかしながら、伸縮シートを使用した外装体に吸収部材を固着すると、外装体の伸縮の繰り返しによって、吸収部材の末端に外装体からの捲れや剥がれが生じやすく、また、このような吸収部材の末端が着用者の肌に当たることによって、着用者に不快感を与えることがあった。
【０００７】
従って、本発明はこのような課題に鑑みてなされたものであり、その目的は、伸縮シートを使用した外装体に吸収部材を固着したパンツ型吸収性物品であっても、外装体からの吸収部材の端部の剥がれや捲れを防止することができ、かつ、吸収部材の端部が着用者の肌に当たることによる不快感を低減することができるパンツ型吸収性物品を提供することにある。
【課題を解決するための手段】
【０００８】
（１）  本発明の一実施形態に係るパンツ型吸収性物品は、ウエスト開口部が定義され、伸縮性フィルムと第１の不織シートとが積層された伸縮シートを少なくとも一部に含む外装体と、長手方向端部の少なくとも一部に、上記外装体に固着された固着部を有する吸収部材であって、液透過性のトップシートと、上記トップシートに対向配置された液不透過性のバックシートと、上記トップシートとバックシートとの間に配置された吸収体と、を含む吸収部材と、上記外装体に対向して配置された補助シートと、を備えるパンツ型吸収性物品であって、上記固着部の少なくとも一部は上記外装体と上記補助シートとの間に配置されることを特徴とする。
（２）  本発明の他実施形態に係るパンツ型吸収性物品は、（１）記載のパンツ型吸収性物品であって、上記吸収部材は、非肌当接面側の表面に、上記固着部を含む第１の領域と、上記外装体から露出した第２の領域と、を備えることを特徴とする。
（３）  本発明の他実施形態に係るパンツ型吸収性物品は、（１）または（２）記載のパンツ型吸収性物品であって、上記補助シートは、ウエスト開口部に沿って設けられていることを特徴とする。
（４）  本発明の他実施形態に係るパンツ型吸収性物品は、（１）から（３）のいずれかに記載のパンツ型吸収性物品であって、上記補助シートは、肌当接面側の第１の層と、非肌当接面側の第２の層と、を備え、上記第１の層の肌当接面側の表面は、上記第２の層の非肌当接面側の表面よりも凹凸が大きいことを特徴とする。
（５）  本発明の他実施形態に係るパンツ型吸収性物品は、（４）記載のパンツ型吸収性物品であって、上記第１の層は、少なくとも上記肌当接面側の表面にエンボス加工が施されていることを特徴とする。
【発明の効果】
【０００９】
本発明の一実施形態に係るパンツ型吸収性物品は、伸縮シートを使用した外装体に吸収部材を固着したパンツ型吸収性物品であっても、外装体からの吸収部材の端部の剥がれや捲れを防止することができ、かつ、吸収部材の端部が着用者の肌に当たることによる不快感を低減することができる。
【図面の簡単な説明】
【００１０】
【図１】本発明の実施形態に係るパンツ型吸収性物品を示す正面図である。
【図２】図１におけるＸ−Ｘ’断面の断面図である。
【図３】図１のパンツ型吸収性物品のサイドシール部を分離して展開した展開図である。
【図４】本発明の実施形態に係るパンツ型吸収性物品の補助シートのみを抜き出し、説明のために第１の層と第２の層とを離間させて図示した補助シートの構造説明図である。
【図５】本発明の実施形態に係るパンツ型吸収性物品の外装体に用いられる伸縮シートの一部を切り出し、説明のために第１の不織シートと第２の不織シートと伸縮性フィルムとを離間して図示した伸縮シートの構造説明図である。
【図６】（ａ）〜（ｂ）は本発明の実施形態に係るパンツ型吸収性物品１の製造方法を説明するための工程図である。
【発明を実施するための形態】
【００１１】
図１ないし図５を参照して、本発明の実施形態に係るパンツ型吸収性物品１を説明する。なお、本実施形態の説明は、全体を通して同じ要素には同じ番号を付している。なお、本明細書の説明において、パンツ型吸収性物品１の長手方向は、パンツ型吸収性物品１が着用されたときに着用者の前後にわたる方向であり、パンツ型吸収性物品１の短手方向は、長手方向に対して横切り又は直交する方向を意味する。また、本明細書の説明において、体液とは、尿、血液や軟便中の水分などの体内から体外に排出された液体をいう。本実施形態のパンツ型吸収性物品１は、例えば、使い捨ておむつ、小児用トレーニングパンツ、失禁用物品、女性の生理用物品として用いることができる。また、本明細書の説明において、不織シートとは、繊維を織らずに絡み合わせたシート状のものを意味する。
【００１２】
図１は、本発明の実施形態に係るパンツ型吸収性物品１を示す正面図である。図１に示すように、パンツ型吸収性物品１は、ウエスト開口部Ｗが定義された外装体１００と、外装体１００の肌当接面側の表面に固着された吸収部材２００とを備える。パンツ型吸収性物品１は、腹側領域３１と背側領域３２とそれらを繋ぐ股部領域３３とを備え、腹側領域３１と背側領域３２に位置する部分を重ね合わせて、腹側領域３１の腹側外装体１０２および背側領域３２の背側外装体１０４を対向配置し、それらの側端部を相互に固着して、サイドシール部１５０を形成することで、ウエスト開口部Ｗおよび脚開口部とが定義されたものである。サイドシール部１５０は、超音波やヒートシールなどの公知の方法によって形成することができ、着用者からパンツ型吸収性物品１を除去しやすいように、破断可能に形成されていてもよい。また、パンツ型吸収性物品１には、腹側領域３１から股部領域３３を経て背側領域３２に渡って、左右一対のレッグギャザーを設けることもできる。レッグギャザーは、例えば、糸ゴムなどの弾性部材と不織シート等のシートによって形成される。レッグギャザーを設けることにより、股下周りの部位におけるフィット感が向上する。
【００１３】
（外装体１００）
次に、図１から図３を用いて、外装体１００を説明する。図２は、図１におけるＸ−Ｘ’断面の断面図であり、図３は図１のパンツ型吸収性物品のサイドシール部を分離して展開した展開図である。図１に示すように、外装体１００には、ウエスト開口部Ｗが定義されている。外装体１００は、図１から図３に示すように、腹側外装体１０２と背側外装体１０４とに分離されて設けられ、腹側外装体１０２の側端部と背側外装体１０４の側端部とは、相互に固着されてサイドシール部１５０をなす。ウエスト開口部Ｗの周りには、一または複数条の弾性部材１６０が、ウエスト開口部Ｗに沿って設けられていてもよい。弾性部材１６０は、弾性部材１６０を伸張した状態で外装体１００に固着することで、外装体１００を含むパンツ型吸収性物品１を着用者のウエストに対して伸縮して保持するように構成されたものである。弾性部材１６０は、糸状、ストリップ状、ウエストベルト状などの如何なる形状でもよいが、細長形状を有し、パンツ型吸収性物品１の長手方向よりも短手方向に略沿って細長く配置される。弾性部材１６０としては、例えば、単数または複数の糸ゴム、不織シートに糸ゴムが固着されたウエストベルト、エラストマーフィルム、弾性発泡材、エラストマー布などの任意の弾性伸縮材料を用いることができる。なお、図示するように、外装体１００が、足開口部ＬＨの少なくとも一部を定義するように設けられると、フィット感が良好なパンツ型吸収性物品１を得ることができる。
【００１４】
図５は、本実施形態に係るパンツ型吸収性物品１の外装体１００に用いられる伸縮シート１２０の一部を切り出し、説明のために第１の不織シート１２２と伸縮性フィルム１２６とを離間して図示した伸縮シート１２０の構造説明図である。外装体１００は、少なくとも第１の不織シート１２２と伸縮性フィルム１２６とを積層して、伸縮可能とした伸縮シート１２０を少なくとも一部に備える。伸縮シート１２０は、パンツ型吸収性物品１の腹側領域３１および背側領域３２の少なくとも一方において、外装体１００に含まれる。腹側外装体１０２は、全体的に伸縮シート１２０のみからなるものであってもよいし、背側外装体１０４は、全体的に伸縮シート１２０のみからなるものであってもよい。第１の不織シート１２２と伸縮性フィルム１２６とは熱融着又は超音波加工などにより一体化されており、ホットメルトタイプ等の接着剤を使用せずに固着されていることが好ましい。これにより、パンツ型吸収性物品１は、糸ゴムおよび接着剤を低減することで、風合いおよびウエスト開口部Ｗ周りのフィット感を良好にすることができ、下着に近い外観のパンツ型吸収性物品１とすることができる。
【００１５】
好ましくは、図５に示すように、伸縮シート１２０は、第１の不織シート１２２と第２の不織シート１２４との間に、伸縮性フィルム１２６が挟まれて一体化された第１の不織シート１２２／伸縮性フィルム１２６／第２の不織シート１２４の積層構造を有するものである。
【００１６】
本実施形態の伸縮シート１２０を構成する第１の不織シート１２２および第２の不織シート１２４としては、例えば、スパンボンドやメルトブロー不織シート、あるいは、スパンボンド／メルトブロー、スパンボンド／メルトブロー／スパンボンドを積層した複合不織シート、及びこれらの複合材料が例示される。また、伸縮性フィルム１２６は、不織シートよりも大きい伸縮性を備えたものであればよく、不織シートよりも伸縮性が大きい樹脂フィルムであってもよい。樹脂製の伸縮性フィルム１２６としては、例えば、ポリエステル系エラストマー、ポリオレフィン系エラストマー、ポリウレタン系樹脂、ポリアミド系樹脂等から形成されたフィルムがあげられる。なかでも、コスト及び伸縮性能の観点から、ポリウレタン系樹脂フィルムが好ましい。
【００１７】
伸縮シート１２０は、非伸縮状態において、２０ｃｍ３／ｃｍ２・秒以上のＪＩＳ  Ｌ  １０９６−Ａ（フラジール法）：１９９０に基づいて測定される通気度を有してもよい。通気度が２０ｃｍ３／ｃｍ２・秒未満であると、着用時に蒸れ易くなる。通気度は、伸縮シート１２０を構成する第１の不織シート１２２および第２の不織シート１２４の繊維や糸の太さ、織り密度、単位面積当たりの重さや、伸縮シート１２０に設けられた開口部の開口面積率等により、自由に変えることができる。
【００１８】
また、伸縮シート１２０は、伸縮方向に１５０％伸長したときに、５０ｃｍ３／ｃｍ２・秒以上のＪＩＳ  Ｌ  １０９６−Ａ（フラジール法）：１９９０に基づいて測定される通気度を有してもよい。ここで、伸縮方向に１５０％伸長したとは、非伸縮状態の伸縮シート１２０の自然長Ｌ１に対する、特定の方向（伸縮方向）に伸縮シート１２０を伸長して伸長状態としたときの長さＬ２の比率を示すものであって、伸長率＝Ｌ２／Ｌ１×１００［％］で計算されたものである。すなわち、例えば、非伸縮状態の自然長１０ｃｍの伸縮シート１２を伸長方向に伸長させて１５ｃｍとした場合、伸縮方向に１５０％（＝１５／１０×１００）伸長したものとなる。通気度が５０ｃｍ３／ｃｍ２・秒未満であると、伸長された状態で使用する部位、例えば、おしり周りの部位に対して、着用時に蒸れ易くなる。
【００１９】
伸縮シート１２０は、パンツ型吸収性物品１の長手方向および短手方向の二軸方向の両方において伸縮特性を有するものであることが好ましい。そして、伸縮シート１２０は、パンツ型吸収性物品１の短手方向の伸縮性は、パンツ型吸収性物品１の長手方向の伸縮性よりも大きいことが好ましい。そして、着用者が着脱しやすいという観点から、第１の伸縮シートは、短手方向に２００％以上２７０％以下の伸び率を有するものであることが好ましい。
【００２０】
伸縮性フィルム１２６には複数の開口部が形成されていてもよい。これらの複数の開口部は、パンツ型吸収性物品１の外装体１００における通気性を向上し、かつ、伸縮性フィルム１２６の開口部による耐久性の低下を緩和するために、平面視において千鳥状に配置されていてもよい。また、これらの複数の開口部の形状は特に限定されず、例えば、長方形、楕円形、ひし形等であってもよい。
【００２１】
（吸収部材２００）
パンツ型吸収性物品１は、肌当接面側からの体液を吸収するために配置される吸収部材２００を備える。図２に示すように、吸収部材２００は、肌当接面側に配置された液透過性のトップシート２１０と、トップシート２１０に対向して配置された非肌当接面側の液不透過性のバックシート２３０と、トップシート２１０とバックシート２３０との間に配置された吸収体２２０とを備える。これにより、吸収体２２０は、トップシート２１０とバックシート２３０との間に挟まれた構造となっている。吸収部材２００には、さらに、バックシート２３０の非肌当接面側に裏面不織シート（図示せず）が積層されていてもよい。なお、吸収部材２００は、外装体１００と異なり、吸収性能を重視するため、伸縮シート１２０を含まず、少なくとも伸縮シート１２０よりも伸縮性が低いものであってもよい。すなわち、吸収部材２００を構成するトップシート２１０、バックシート２３０と、吸収体２２０の少なくとも一つは、実質的に非伸縮性か、または、伸縮シート１２０よりも伸縮性が低いものであってもよい。
【００２２】
トップシート２１０の基材は、体液が吸収体２２０へと移動するように液透過性を備えていればよく、例えば、サーマルボンド不織シート等の不織シート、サーマルボンド／スパンボンドを積層した複合不織シート、開口ポリエチレンフィルム等の開口性フィルム、ポリエチレンフォーム、ウレタンフォーム等の発泡フィルム、あるいは、これらを積層した複合シートといった材料から形成される。また、トップシート２１０は、液透過性を向上させるために、表面にエンボス加工や穿孔加工を施してもよい。その加工方法は、公知の方法を制限なく行うことができる。また、肌への刺激を低減させるために、トップシート２１０には、ローション、酸化防止剤、抗炎症成分、ｐＨ調整剤、抗菌剤、保湿剤等を含有させてもよい。さらに、強度および加工性の点から、トップシート２１０の坪量は、１４ｇ／ｍ２以上４０ｇ／ｍ２以下であることが好ましい。トップシート２１０の形状としては、特に制限はないが、トップシート２１０とバックシート２３０とは、吸収体２２０よりも面積が大きいものであってもよく、吸収部材２００の長手方向端部２００ａ，２００ｂの少なくとも一部において、吸収体２２０が設けられていないことにより吸収部材の厚みが薄くなった部分を有してもよい。これによれば、後述する補助シート３００と外装体１００と吸収部材２００との間に強固な固着部を形成することができる。
【００２３】
なお、トップシート２１０の肌当接面側には、吸収体２２０の長手方向の両側縁部に沿って、体液の漏れを防止する立体ギャザーを設けてもよい。吸収体２２０の短手方向における立体ギャザーの外端部は、バックシート２３０に固定され、同短手方向における立体ギャザーの内端部は、長手方向前後部がトップシート２１０に固着され、前後部間の中央部はトップシート２１０に固定されない自由端となっており、吸収体２２０の長手方向に沿って糸ゴム等の立体ギャザー用弾性部材と不織シート等のシートによって形成されることで、起立性を有し、使用者の体型に合わせて伸縮自在に変形可能となっている。
【００２４】
バックシート２３０の基材は、吸収体２２０が保持する体液が漏れないように液不透過性を備えたものであればよく、不織シート、樹脂フィルム、あるいはこれらを積層した複合シートといった材料から形成される。不織シートは、製法が特に限定されることはなく、例えば、スパンボンドやメルトブロー不織シート、あるいは、スパンボンド／メルトブロー、スパンボンド／メルトブロー／スパンボンドを積層した複合不織シート、及びこれらの複合材料が考えられる。また、樹脂フィルムとして、例えば、ポリエステル、ポリビニルアルコール、ポリエチレン、ポリプロピレン、ポリエチレンとポリプロピレンの複合フィルム等がある。また、装着時の蒸れを防止するために、バックシート２３０は、透湿性を持たせてもよい。例えば、バックシート２３０の基材にフィラーを配合することや、バックシートに穿孔のためのエンボス加工を施すことで、バックシート２３０に透湿性を備えさせることができる。
【００２５】
裏面不織シートの基材には、例えば、スパンボンドやメルトブロー不織シート、あるいは、スパンボンド／メルトブロー、スパンボンド／メルトブロー／スパンボンドを積層した複合不織シート、及びこれらの複合材料を用いることができる。
【００２６】
吸収体２２０の基材は、一般に生理用ナプキンやおむつ、尿パッド等の吸収性物品に使用されるものであれば特に制限はなく、例えば、フラッフパルプ、親水性シートといった材料を備え、高吸水性樹脂（Ｓｕｐｅｒ  Ａｂｓｏｒｂｅｎｔ  Ｐｏｌｙｍｅｒ；以下、「ＳＡＰ」と記す。）を更に含有したものでもよい。フラッフパルプとして、例えば、木材パルプ及び合成繊維、ポリマー繊維等の非木材パルプを綿状に解繊したものがある。また、高吸水性樹脂としては、例えば、ポリアクリル酸ナトリウム系、親水性シートとしては、ティシュ、吸収紙、親水性不織シートが挙げられる。
【００２７】
吸収体２２０は、上記の基材を用いて、単層あるいは複層のシート状で構成される。これらの中でも、吸収体２２０としては、木材パルプフラッフのような、フラッフパルプの親水性繊維マトリックスを高吸水性樹脂粒子と混合して形成したものが好ましい。また、高吸水性樹脂粒子の漏洩防止や吸収部材の形状を安定させるために、吸収体２２０をティシュのような親水性シート（図示せず）に包んでもよい。さらに、吸収体２２０の表面にエンボス加工を施すことで、体液の拡散をコントロールすると共に、着用者の体型に応じて吸収体２２０を容易に変形可能とすることができる。
【００２８】
図３の展開図に示すように、吸収部材２００は、少なくとも吸収部材２００の長手方向端部２００ａ，２００ｂにおいて、外装体１００の肌当接面側の表面に固着された固着部２４２，２４４を非肌当接面側に備える。つまり、吸収部材２００の長手方向端部２００ａの非肌当接面側の表面を腹側外装体１０２の肌当接面側の表面に固着することで固着部２４２が形成され、吸収部材２００の長手方向端部２００ｂの非肌当接面側の表面を背側外装体１０４の肌当接面側の表面に固着することで固着部２４４が形成される。この固着部２４２，２４４は、例えば、ホットメルト接着剤等による接着、熱溶着あるいは超音波加工等の公知の固着方法により形成することができる。固着部２４２，２４４は、固着部２４２，２４４の全体が外装体１００に固着されていてもよいし、外装体１００と吸収部材２００との接合部を点状または線状に離間して設けることによって部分的に固着されてもよい。
【００２９】
そして、パンツ型吸収性物品１の短手方向において、外装体１００の下端部１０９ａ，１０９ｂに重なる部分の吸収部材２００の長さが、外観上、外装体１００の下端部１０９ａ，１０９ｂの長さと略等しくなるように設けられる。そして、吸収部材２００は、非肌当接面側の表面に、外装体１００に固着された固着部２４２，２４４の少なくとも一部を含む第１の領域と、外装体１００から露出した第２の領域と、を備える。このように、吸収部材２００に外装体１００からの露出した領域を設けることで、露出領域におけるパンツ型吸収性物品１の厚さを低減することができ、着用者へのフィット性を向上し、パンツ型吸収性物品１を着用していることを外観上より目立たなくすることができる。
【００３０】
（補助シート３００）
図１から図３に示すように、補助シート３００は、外装体１００に対向して配置され、腹側補助シート３１０と背側補助シート３２０の少なくとも一方を含むものである。吸収部材２００の長手方向端部２００ａ，２００ｂが外装体１００に固着された固着部２４２，２４４は、少なくとも一部が外装体１００と補助シート３００との間に挟持される。すなわち、吸収部材２００の固着部２４２は、腹側補助シート３１０と腹側外装体１０２との間に挟持され、吸収部材２００の固着部２４４は、背側補助シート３２０と背側外装体１０４との間に挟持される。そして、補助シート３００は、熱溶着、超音波加工、ホットメルト接着剤などによる接着によって、全体的または部分的に外装体１００および吸収部材２００に固着される。これにより、伸縮シート１２０を使用した外装体１００に吸収部材２００を固着したパンツ型吸収性物品１であっても、外装体１００からの吸収部材２００の長手方向端部２００ａ，２００ｂの剥がれや捲れを防止することができ、かつ、吸収部材２００の長手方向端部２００ａ，２００ｂが着用者の肌に当たることによる不快感を低減することができる。また、補助シート３００によって、吸収体２２０の長手方向端部からの体液の漏れも効果的に防止することができる。なお、熱溶着または超音波加工、ホットメルト接着剤などの方法を用いて、パンツ型吸収性物品１の短手方向に離間して設けられた複数の接合部を補助シート３００および外装体１００に形成することによって、より良好な触感を得ることができる。
【００３１】
補助シート３００は、図１に示すように、ウエスト開口部Ｗに沿って、帯状に設けられていてもよい。これによれば、外装体１００からの剥がれや捲れが発生しやすい吸収部材２００の長手方向端部を保護しやすく、効果的である。パンツ型吸収性物品１の短手方向において、補助シート３００は、吸収部材２００よりも大きく設けられており、パンツ型吸収性物品１の長手方向において、吸収部材２００とオーバーラップする位置から、吸収部材２００の長手方向端部２００ａ、２００ｂの一方を経て、ウエスト開口部Ｗに至るまでの間で任意の大きさと形状を有する。従って、腹側補助シート３１０は、腹側外装体１０２と略同形状であってもよいし、背側補助シート３２０は、背側外装体１０４と略同洞形状であってもよい。
【００３２】
補助シート３００には、実質的に非伸縮性の不織シートを基材として用いることが好ましい。補助シート３００には、サーマルボンド不織シート等の不織シート、サーマルボンド／スパンボンドを積層した複合不織シート、開口ポリエチレンフィルム等の開口性フィルム、ポリエチレンフォーム、ウレタンフォーム等の発泡フィルム、あるいは、これらを積層した複合シートといった材料を含んでもよい。例えば、補助シート３００に、平均繊維径１．４デシテックス未満のスパンボンド不織布または平均繊維径が２．８デシテックス未満のエアスルー不織布であって、坪量が１５ｇｓｍ以上３０ｇｓｍ以下のものを用いると、外装体１００の伸縮シート１２０の伸縮特性を阻害せず、風合いおよび通気性に優れたパンツ型吸収性物品１を得ることができる。
【００３３】
補助シート３００は、外装体１００をパンツ型吸収性物品１の短手方向に伸長した状態で、外装体１００に固着される。これは、パンツ型吸収性物品１の短手方向において、非伸長状態の長さＬ１と伸長時の長さＬ２とから算出される伸長率Ｌ２／Ｌ１×１００［％］が２００％以上２８０％以下となるように伸長させた状態の外装体１００に、非伸縮性の補助シート３００を固着することが好ましい。ここで、伸長率２００％とは、例えば、非伸長状態の長さが１０ｃｍのものを２０ｃｍに伸長した状態のことをいう。このようにすることで、外装体１００の伸縮性能を阻害せずに、良好な触感を与えることができる。
【００３４】
また、図４に示すように、補助シート３００は、肌当接面側の第１の層３０２と、非肌当接面側の第２の層３０４と、を備えた積層構造であってもよい。なお、第１の層３０２と第２の層３０４とは、属性が異なるものでもよく、例えば、第１の層３０２の肌当接面側の表面が、第２の層３０４の非肌当接面側の表面よりも凹凸が大きいものであってもよい。第１の層３０２の肌当接面側の表面には、エンボス加工によって凹凸が形成されており、第２の層３０４の非肌当接面側の表面は、略平滑に形成されているように属性が異なる場合には、補助シート３００は、肌当接面側の通気性と風合いを更に向上させることができ、着用者に良好な感触を与えられるとともに、非肌当接面側においては、補助シート３００を外装体１００にしっかり固着することができる。
【００３５】
次に、図６（ａ）〜（ｂ）を用いて、本実施形態のパンツ型吸収性物品１の製造方法の一例を説明する。ここでは、パンツ型吸収性物品１となる連続体を長手方向に搬送しながら、パンツ型吸収性物品１を製造方法について説明する。まず、図６（ａ）に示すように、第１工程として、伸縮性フィルム１２６となる連続体を回転ローラ５１から給送し、伸縮性フィルム１２６となる連続体に所定の張力をかけて上下に伸張する。所定の張力とは、伸縮性フィルム１２６を２００％以上、より好ましくは２５０±３０％伸張した状態をいう。そして、第２工程では、回転ローラ５２ａから供給された第１の不織シート１２２となる連続体及び回転ローラ５２ｂから供給された第２の不織シート１２４となる連続体を、伸張した状態の伸縮性フィルム１２６となる連続体の上下に積層する。次に、第３工程では、積層された伸縮性フィルム１２６と第１の不織シート１２２と第２の不織シート１２４となる連続体を伸縮方向と直行する縦方向に実質的に連続したシール線を、伸縮方向に対して０．５ｍｍ以上２．０ｍｍ以下の間隔で全領域にわたって熱融着又は超音波加工によって形成し、伸縮性フィルム１２６と第１の不織シート１２２と第２の不織シート１２４となる連続体を固着することで、伸縮シート１２０となる連続体を形成する。
【００３６】
具体的には、図６（ｂ）に示すように、積層された伸縮性フィルム１２６と第１の不織シート１２２と第２の不織シート１２４とを接合ローラ５３と他方の接合ローラ５４で狭圧し、接合ローラ５３の先端の端部５５と、他方の接合ローラ５４の側面５６との接点を熱溶着又は超音波加工などすることによって、シール線を形成する。このように、シール線を所定の間隔に形成し、第１の不織シート１２２と伸縮性フィルム１２６と第２の不織シート１２４となる連続体を一体化することによって、伸縮シート１２０となる連続体の表面のシワが緩和され、滑らかな肌触りとすることができる。
【００３７】
そして、図示しないが、伸縮シート１２０となる連続体を更に搬送方向に給送し、カッターなどの切断装置を用いて、伸縮シート１２０を外装体１００の形状に切断することにより、腹側外装体１０２および背側外装体１０４となる部分を形成する。続いて、トップシート２１０、バックシート２３０および吸収体２２０を少なくとも備える吸収部材２００と腹側補助シート３１０と背側補助シート３２０とを供し、吸収部材２００の長手方向端部２００ａの非肌当接面側の表面を腹側外装体１０２の肌当接面側の表面に向けて配置し、吸収部材２００の長手方向端部２００ａを腹側外装体１０２と腹側補助シート３１０とで挟んで、ホットメルト接着剤などによって接合することで固着部２４２を形成し、吸収部材２００の長手方向端部２００ｂの非肌当接面側の表面を背側外装体１０４の肌当接面側の表面に向けて配置し、吸収部材２００の長手方向端部２００ｂを背側外装体１０４と背側補助シート３２０とで挟んで、ホットメルト接着剤熱などによって接合することで固着部２４４を形成する。そして、吸収部材２００が位置する部分で半分に折って、腹側外装体１０２および背側外装体１０４となる部分を対向配置する。そして、圧搾、熱溶着や超音波加工などによって腹側領域３１の腹側外装体１０２の側端部と背側領域３２の背側外装体１０４の側端部とを相互に固着することで、サイドシール部１５０を形成し、ウエスト開口部Ｗおよび脚開口部とが定義されたパンツ型吸収性物品１を得ることができる。
【００３８】
なお、本実施形態では、外装体１００が、腹側外装体１０２と背側外装体１０４とに分離されたものを用いて説明をしたが、図示しない股部領域３３に設けられた股部外装体を介して、腹側外装体１０２と背側外装体１０４とが一体的に形成されたものであってもよい。この場合、吸収部材２００は、股部外装体の表面に固着されてもよい。
【００３９】
また、本実施形態では、吸収部材２００が、吸収部材２００の長手方向端部２００ａ，２００ｂのみにおいて、外装体１００の肌当接面側の表面に固着された固着部２４２，２４４を備えるものを説明したが、吸収部材２００の長手方向端部２００ａ，２００ｂ以外の領域、または、吸収部材２００の非肌当接面側の全表面において、外装体１００の肌当接面側の表面に固着されていてもよい。
【００４０】
以上、実施形態を用いて本発明を説明したが、本発明の技術的範囲は上記実施形態に記載の範囲には限定されないことは言うまでもない。上記実施形態に、多様な変更または改良を加えることが可能であることは当業者に明らかである。また、その様な変更または改良を加えた形態も本発明の技術的範囲に含まれ得ることが、特許請求の範囲の記載から明らかである。
【符号の説明】
【００４１】
１                          パンツ型吸収性物品
３１                        腹側領域
３２                        背側領域
３３                        股部領域
１００                      外装体
１０２                      腹側外装体
１０４                      背側外装体
１５０                      サイドシール部
１６０                      弾性部材
２００                      吸収部材
２００ａ，２００ｂ          吸収部材の長手方向端部
２１０                      トップシート
２２０                      吸収体
２３０                      バックシート
２４０，２４２，２４４      固着部
３００，３１０，３２０      補助シート
３０２                      第１の層
３０４                      第２の層
Ｗ                          ウエスト開口部
ＬＨ                        足開口部
【図１】
2016182168.tif 000003
【図２】
2016182168.tif 000004
【図３】
2016182168.tif 000005
【図４】
2016182168.tif 000006
【図５】
2016182168.tif 000007
【図６】
2016182168.tif 000008